(57)【要約】本発明は、バネを備えた伸縮可能なリンクアセンブリ、および前記伸縮可能なリンクアセンブリを備えたスライディングタイプ携帯電話用スライダーアセンブリに関する。本発明の一側面によれば、バネ、第１リンクアセンブリおよび第２リンクアセンブリを含むリンクアセンブリを提供する。前記バネは、両端部に外径の減少した係止部が設けられている。第１リンクプレートは、一側が幅方向に延長されており、前記バネの一端の係止部が挿入されて固定されるためのバネ固定溝が設けられている。第２リンクプレートは、一側が幅方向に延長されており、前記バネの他端の係止部が挿入されて固定されるためのバネ固定溝が設けられている。また、前記第１リンクプレートと前記第２リンクプレートは、それぞれの一面が対面した状態でスライドし、それぞれの他側が長手方向に沿って接近すると前記バネが引っ張られるように拘束結合される。本発明の一側面によるリンクアセンブリは、バネの両端部に設けられた直径の減少または増加した係止部をリンクスライダーの固定溝に挿入して固定するようになっているため、組立が簡便であり、可撓性基板を損傷させるおそれもなく、リンクアセンブリの厚さも薄くすることができて携帯電話をスリム化することができるという利点がある。
2009510354.tif 000002
【特許請求の範囲】
【請求項１】
両端部に外径の減少した係止部が設けられたバネと、
一側が幅方向に延長されており、前記バネの一端の係止部が挿入されて固定されるためのバネ固定溝が設けられた第１リンクプレートと、
一側が幅方向に延長されており、前記バネの他端の係止部が挿入されて固定されるためのバネ固定溝が設けられた第２リンクプレートとを含み、
前記第１リンクプレートと前記第２リンクプレートは、それぞれの一面が対面した状態でスライドし、それぞれの他側が長手方向に沿って接近すると前記バネが引っ張られるように拘束結合されていることを特徴とする、伸縮可能なリンクアセンブリ。
【請求項２】
前記第１リンクプレートは、前記一側の一面に、前記第２リンクプレートの他側が長手方向に沿って挿入されるための案内溝が設けられており、
前記第２リンクプレートは、前記一側の一面に、前記第１リンクプレートの他側が長手方向に沿って挿入されるための案内溝が設けられており、
前記第１リンクプレートおよび前記第２リンクプレートの前記案内溝によって、前記第１リンクプレートおよび前記第２リンクプレートは長手方向に沿ってスライドされることを特徴とする、請求項１に記載の伸縮可能なリンクアセンブリ。
【請求項３】
前記第１リンクプレートは、他側の他面には長手方向に沿って幅方向の両側に離脱防止溝が設けられ、一側の一面には離脱防止突起が設けられており、
前記第２リンクプレートは、一側の一面には前記第１リンクプレートの離脱防止溝に結合するための離脱防止突起が設けられ、他側の他面には長さ方向に沿って幅方向の両側に前記第１リンクプレートの離脱防止突起に結合するための離脱防止溝が設けられていることを特徴とする、請求項２に記載の伸縮可能なリンクアセンブリ。
【請求項４】
前記第１リンクプレートは、前記バネが圧縮されないように前記第２リンクプレートに対するスライディングを限定するためのスライディング限定部材をさらに含むことを特徴とする、請求項３に記載の伸縮可能なリンクアセンブリ。
【請求項５】
前記スライディング限定部材は、前記第２リンクプレートの離脱防止溝と結合してスライディングを限定することを特徴とする、請求項４に記載の伸縮可能なリンクアセンブリ。
【請求項６】
前記第１および第２リンクプレートのそれぞれの他側には貫通孔が設けられていることを特徴とする、請求項５に記載の伸縮可能なリンクアセンブリ。
【請求項７】
前記貫通孔は、一側が開放されており、当該一側に係止突部が設けられていることを特徴とする、請求項６に記載の伸縮可能なリンクアセンブリ。
【請求項８】
直線運動を案内するためのガイド部を備え、スライディングタイプ携帯電話本体の一面に固定される固定プレートと、前記固定プレートのガイド部に案内されて直線運動を行えるように拘束され、携帯電話カバーの前記一面の対向面に固定されるためのスライディングプレートと、バネの伸縮と復元によって前記スライディングプレートが前記固定プレートに対して直線運動を行うように、前記固定プレートと前記スライディングプレートに回動可能に連結される伸縮可能なリンクアセンブリとを含んだスライディングタイプ携帯電話用スライダーアセンブリにおいて、
前記伸縮可能なリンクアセンブリは、
両端部に外径の減少した係止部が設けられたバネと、
一側が幅方向に延長されており、前記バネの一端の係止部が挿入されて固定されるためのバネ固定溝、および他側が前記固定プレートに回動可能に固定されるための貫通孔が設けられた第１リンクプレートと、
一側が幅方向に延長されており、前記バネの他端の係止部が挿入されて固定されるためのバネ固定溝、および他側が前記スライディングプレートに回動可能に固定されるための貫通孔が設けられた第２リンクプレートとを含み、
前記第１リンクプレートと前記第２リンクプレートは、それぞれの一面が対面した状態でスライドし、それぞれの他側が長手方向に沿って接近すると前記バネが引っ張られるように拘束結合されていることを特徴とする、スライディングタイプ携帯電話用スライダーアセンブリ。
【請求項９】
前記第１リンクプレートは、前記一側の一面に、前記第２リンクプレートの他側が長手方向に沿って挿入されるための案内溝が設けられており、
前記第２リンクプレートは、前記一側の一面に、前記第１リンクプレートの他側が長手方向に沿って挿入されるための案内溝が設けられており、
前記第１リンクプレートおよび第２リンクプレートの前記案内溝によって、前記第１リンクプレートおよび第２リンクプレートは長手方向にスライドされることを特徴とする、請求項８に記載のスライディングタイプ携帯電話用スライダーアセンブリ。
【請求項１０】
前記第１リンクプレートは、他側の他面には長手方向に沿って幅方向の両側に離脱防止溝が設けられ、一側の一面には離脱防止突起が設けられており、
前記第２リンクプレートは、一側の一面には前記第１リンクプレートの離脱防止溝に結合するための離脱防止突起が設けられ、他側の他面には長手方向に沿って幅方向の両側に前記第１リンクプレートの離脱防止突起に結合するための離脱防止溝が設けられていることを特徴とする、請求項９に記載のスライディングタイプ携帯電話用スライダーアセンブリ。
【請求項１１】
前記第１リンクプレートは、前記バネが圧縮されないように前記第２リンクプレートに対するスライディングを限定するためのスライディング限定部材をさらに含むことを特徴とする、請求項１０に記載のスライディングタイプ携帯電話用スライダーアセンブリ。
【請求項１２】
前記貫通孔は、一側が開放されており、当該一側に係止突部が設けられていることを特徴とする、請求項１１に記載のスライディングタイプ携帯電話用スライダーアセンブリ。
【請求項１３】
複数のバネと、
前記バネの一端を収容するために、一面の一端から長手方向に一定の長さで実質的に平行に設けられた複数の受入溝を備えた第１リンクプレートと、
前記バネの他端を収容するために、一面の一端から長手方向に設けられた受入溝を備えた第２リンクプレートとを含み、
前記第１リンクプレートと前記第２リンクプレートは、それぞれの一面が対面した状態でスライドし、それぞれの他端が長手方向に沿って接近すると前記バネが圧縮されるように拘束結合されていることを特徴とする、伸縮可能なリンクアセンブリ。
【請求項１４】
前記第１リンクプレートには前記バネのそれぞれの一端に挿入された支持突起が設けられており、
前記第２リンクプレートには前記バネのそれぞれの他端に挿入された支持突起が設けられており、
前記支持突起によって前記バネの一端および他端が拘束されたことを特徴とする、請求項１３に記載の伸縮可能なリンクアセンブリ。
【請求項１５】
前記第１リンクプレートには前記バネの一端が挿入されるための支持溝が設けられており、
前記第２リンクプレートには前記バネの他端が挿入されるための支持溝が設けられており、
前記支持溝によって前記バネの一端および他端が拘束されたことを特徴とする、請求項１３に記載の伸縮可能なリンクアセンブリ。
【請求項１６】
前記第１リンクプレートは、長手方向に沿って幅方向の一側に案内溝が、他側には案内翼が設けられており、
前記第２リンクプレートは、長手方向に沿って幅方向の一側に前記第１リンクプレートの案内溝に挿入されるための案内翼が、他側には前記第１リンクプレートの案内翼が挿入されるための案内溝が設けられており、
前記案内翼と前記案内溝との結合によって、前記第２リンクプレートが前記第１リンクプレートの長手方向に沿ってスライド可能に拘束結合されていることを特徴とする、請求項１４または１５に記載の伸縮可能なリンクアセンブリ。
【請求項１７】
前記第１リンクプレートは、前記案内溝に長手方向に沿って一定の長さの案内孔が設けられ、前記案内翼には案内突起が突設されており、
前記第２リンクプレートは、前記案内溝には第１リンクプレートの案内突起が挿入されるために長手方向に沿って一定の長さの案内孔が設けられ、前記案内翼には前記第１リンクプレートの案内孔に挿入されるために突出した案内突起が設けられていることを特徴とする、請求項１６に記載の伸縮可能なリンクアセンブリ。
【請求項１８】
前記第１および第２リンクプレートのそれぞれの他端部には貫通孔が設けられたことを特徴とする、請求項１７に記載の伸縮可能なリンクアセンブリ。
【請求項１９】
前記貫通孔は、一側が開放されており、当該一側に係止突部が設けられていることを特徴とする、請求項１８に記載の伸縮可能なリンクアセンブリ。
【請求項２０】
直線運動を案内するためのガイド部を備え、スライディングタイプ携帯電話本体の一面に固定される固定プレートと、前記固定プレートのガイド部に案内されて直線運動を行えるように拘束され、携帯電話カバーの前記一面の対向面に固定されるためのスライディングプレートと、バネの伸縮と復元によって前記スライディングプレートが前記固定プレートに対して直線運動を行うように、前記固定プレートと前記スライディングプレートに回動可能に連結される伸縮可能なリンクアセンブリとを含むスライディングタイプ携帯電話用スライダーアセンブリにおいて、
前記伸縮可能なリンクアセンブリは、
複数のバネと、
前記バネの一端を収容するために一面の一端から長手方向に一定の長さで実質的に平行に設けられた複数の受入溝、および前記固定プレートに回動可能に固定されるために他端に設けられた貫通孔を備えた第１リンクプレートと、
前記バネの他端を収容するために一面の一端から長手方向に設けられた受入溝、および前記スライディングプレートに回動可能に固定されるために他端に設けられた貫通孔を備えた第２リンクプレートと、
前記第１リンクプレートと前記第２リンクプレートは、それぞれの一面が対面した状態でスライドし、それぞれの他端が長手方向に沿って接近すると前記バネが圧縮されるように拘束結合されていることを特徴とする、スライディングタイプ携帯電話用スライダーアセンブリ。
【請求項２１】
前記第１リンクプレートには前記バネのそれぞれの一端に挿入された支持突起が設けられており、
前記第２リンクプレートには前記バネのそれぞれの他端に挿入された支持突起が設けられており、
前記支持突起によって前記バネの一端および他端が拘束されたことを特徴とする、請求項２０に記載のスライディングタイプ携帯電話用スライダーアセンブリ。
【請求項２２】
前記第１リンクプレートには前記バネの一端が挿入されるための支持溝が設けられており、
前記第２リンクプレートには前記バネの他端が挿入されるための支持溝が設けられており、
前記支持溝によって前記バネの一端および他端が拘束されたことを特徴とする、請求項２０に記載のスライディングタイプ携帯電話用スライダーアセンブリ。
【請求項２３】
前記第１リンクプレートは、長手方向に沿って幅方向の一側に案内溝が、他側には案内翼がそれぞれ設けられており、
前記第２リンクプレートは、長手方向に沿って幅方向の一側には前記第１リンクプレートの案内溝に挿入されるための案内翼が、他側には前記第１リンクプレートの案内翼が挿入されるための案内溝がそれぞれ設けられており、
前記案内翼と前記案内溝との結合によって、前記第２リンクプレートが前記第１リンクプレートの長手方向に沿ってスライド可能に拘束結合されていることを特徴とする、請求項２１または２２に記載のスライディングタイプ携帯電話用スライダーアセンブリ。
【請求項２４】
前記第１リンクプレートは、前記案内溝に長手方向に沿って一定の長さの案内孔が設けられ、前記案内翼には案内突起が突設されており、
前記第２リンクプレートは、前記案内溝には前記第１リンクプレートの案内突起が挿入されるために長手方向に沿って一定の長さの案内孔が設けられ、前記案内翼には前記第１リンクプレートの案内孔に挿入されるために突出した案内突起が設けられていることを特徴とする、請求項２３に記載のスライディングタイプ携帯電話用スライダーアセンブリ。
【請求項２５】
前記貫通孔は、一側が開放されており、当該一側に係止突部が設けられていることを特徴とする、請求項２４に記載のスライディングタイプ携帯電話用スライダーアセンブリ。
【発明の詳細な説明】
【技術分野】
【０００１】
本発明は、バネを備えた伸縮可能なリンクアセンブリ、およびそのリンクアセンブリを含むスライディングタイプ携帯電話用スライダーアセンブリに関する。本発明の伸縮可能なリンクアセンブリは、バネの両端部を挿入して固定し得るようになっており、組立が簡単であり、厚さを薄くすることができて携帯電話をスリム化することができるという利点がある。
【背景技術】
【０００２】
図１２は、韓国実用新案登録公報第２０−０３６３２９５号に開示された、一対のリンクプレートを備えたスライディングタイプ携帯電話用スライダーアセンブリに用いられる従来のリンクアセンブリを示す。図１２に示されたリンクアセンブリ３００は、従来のスライディングタイプ携帯電話のスライディングプレートのアップ／ダウン状態を保つために使用されたねじりバネの代わりに、一対のリンクプレート３１０と引張バネ３２０を用いて耐久性を増大させたものである。一対のリンクプレート３１０は、同一の形状を有し、相互スライド可能に案内溝３１２に挿入された案内突起３１３で拘束されており、リンクプレート３１０の端部に設けられたバネ係止部３１４に一対の引張バネ３２０が係止されている。それぞれのリンクプレート３１０は、貫通孔を有するヒンジ部３１１が固定プレートまたはスライディングプレートにそれぞれ回動可能にピンで固定される。
【０００３】
上記構成を持つ従来のリンクアセンブリ３００は、次の問題点がある。すなわち、リンクプレート３１０のバネ係止部３１４が細長いため、撓みがよく発生し、強度が弱くて加工が難しい。また、リンクプレートをスライド可能に拘束するための案内突起３１３などの別途の部品が必要であり、環状のリングを有する引張バネ３２０の端部をバネ係止部３１４に係止して組み立てるため、組立が難しい。また、それぞれのリンクプレート３１０のバネ係止部３１４に係止された環状のリングが移動する場合、携帯電話の可撓性基板（ＦＰＣＢ）と干渉を起して損傷させる。特に、バネのリングが大きいためリンクアセンブリの厚さが厚くなって携帯電話を薄型にスリム化することができない。
【発明の開示】
【発明が解決しようとする課題】
【０００４】
本発明の目的は、従来のスライダーアセンブリのリンクアセンブリの問題点を解決することが可能な、リンクアセンブリおよび前記リンクアセンブリを備えたスライディングタイプ携帯電話用スライダーアセンブリを提供することにある。本発明の他の目的は、部品の数を減らして組立が容易であり、バネとリンクプレートとの結合構造を改善してバネと可撓性基板（ＦＰＣＢ）との間に干渉が発生しないようにし、薄型に製作することが可能なリンクアセンブリ、および前記リンクアセンブリを備えたスライディングタイプ携帯電話用スライダーアセンブリを提供することにある。
【課題を解決するための手段】
【０００５】
本発明のある観点によれば、バネ、第１リンクプレートおよび第２リンクプレートを含む伸縮可能なリンクアセンブリを提供する。前記バネは、両端部に外径の減少した係止部が設けられている。前記第１リンクプレートは、前記バネの一端の係止部が挿入されて固定されるためのバネ固定溝が設けられており、一側が幅方向に延長されている。第２リンクプレートは、前記バネの他端の係止部が挿入されて固定されるためのバネ固定溝が設けられており、一側が幅方向に延長されている。また、前記第１リンクプレートと前記第２リンクプレートは、それぞれの一面が対面した状態でスライドし、それぞれの他側が長手方向に沿って接近すると前記バネが引っ張られるように拘束結合されている。
【０００６】
前記リンクアセンブリにおいて、前記第１リンクプレートは、前記第２リンクプレートの他側が長手方向に沿って挿入されるための案内溝が前記一側の一面に設けられており、前記第２リンクプレートは、前記第１リンクプレートの他側が長手方向に沿って挿入されるための案内溝が前記一側の一面に設けられていることが好ましい。そして、前記第１リンクプレートおよび前記第２リンクプレートは、前記案内溝によって長手方向に沿ってスライドされる。したがって、前記リンクアセンブリを薄型にさらにスリム化することができる。
【０００７】
また、前記リンクアセンブリにおいて、前記第１リンクプレートおよび前記第２リンクプレートそれぞれは、他側の他面には長手方向に沿って幅方向の両側に離脱防止溝が設けられており、一側の一面には離脱防止突起が設けられていることがさらに好ましい。この場合、第１リンクプレートと第２リンクプレートが互いから分離されることを防止するために、第１リンクプレートの離脱防止突起は第２リンクプレートの離脱防止溝と結合し、第１リンクプレートの離脱防止溝は第２リンクプレートの離脱防止突起と結合する。
【０００８】
また、前記リンクアセンブリにおいて、前記バネが圧縮されることを防止するために、前記第１リンクプレートおよび／または前記第２リンクプレートは、スライディングを限定するスライディング限定部材をさらに含むことがさらに好ましい。また、前記スライディング限定部材は、対面したリンクプレートの前記離脱防止溝と結合してスライディングを限定することができる。
【０００９】
また、前記リンクアセンブリにおいて、前記第１および第２リンクプレートは、それぞれの他側に貫通孔が設けられていることがさらに好ましい。前記貫通孔によって、前記リンクアセンブリはスライディングタイプ携帯電話用スライダーアセンブリの固定プレートおよびスライディングプレートに結合できる。
【００１０】
本発明の他の観点によれば、固定プレート、スライディングプレートおよびリンクアセンブリを含む、スライディングタイプ携帯電話用スライダーアセンブリを提供する。固定プレートは、直線運動を案内するためのガイド部を備え、スライディングタイプ携帯電話本体の一面に固定される。スライディングプレートは、前記固定プレートのガイド部に案内されて直線運動を行えるように拘束され、携帯電話カバーの前記一面の対向面に固定される。リンクアセンブリは、伸縮可能であり、バネの伸縮と復元によって前記スライディングプレートが前記固定プレートに対して直線運動を行うように前記固定プレートと前記スライディングプレートに回動可能に連結される。前記スライディングプレートを前記固定プレートに対して直線運動させるために、前記リンクアセンブリはバネ、第１リンクプレートおよび第２リンクプレートを含む。バネの外径が両端部で減少する。第１リンクプレートは、前記バネの一端の係止部が挿入されて固定されるためのバネ固定溝、および他側が前記固定プレートに回動可能に固定されるための貫通孔が設けられており、一側が幅方向に延長されている。そして、前記第１リンクプレートと前記第２リンクプレートは、それぞれの一面が対面した状態でスライドし、それぞれの他側が長手方向に沿って接近すると前記バネが引っ張られるように拘束結合される。
【００１１】
また、前記スライディングタイプ携帯電話用スライダーアセンブリにおいて、前記第１リンクプレートは、前記第２リンクプレートの他側が長手方向に沿って挿入されるための案内溝が前記一側の一面に設けられており、前記第２リンクプレートは、前記第１リンクプレートの他側が長手方向に沿って挿入されるための案内溝が前記一側の一面に設けられていることが好ましい。前記第１リンクプレートおよび第２リンクプレートは、前記案内溝によって長手方向に沿ってスライドされる。
【００１２】
また、前記スライドタイプ携帯電話用スライダーアセンブリにおいて、前記第１リンクプレートおよび第２リンクプレートそれぞれは、他側の他面には長手方向に沿って幅方向の両側に離脱防止溝が設けられており、一側の一面には離脱防止突起が設けられていることがさらに好ましい。この場合、第１リンクプレートと第２リンクプレートがお互いから分離されることを防止するために、第１リンクプレートの離脱防止突起は第２リンクプレートの離脱防止溝と結合し、第１リンクプレートの離脱防止溝は第２リンクプレートの離脱防止突起と結合する。
【００１３】
また、前記スライディングタイプ携帯電話用スライダーアセンブリにおいて、前記バネが圧縮されることを防止するために、前記第１リンクプレートおよび／または前記第２リンクプレートはスライディングを限定するスライディング限定部材をさらに含むことがさらに好ましい。また、対面したリンクプレートの前記離脱防止溝と結合してスライディングを限定することができる。
【００１４】
本発明の別の観点によれば、複数のバネ、第１リンクプレートおよび第２リンクプレートを含むリンクアセンブリを提供する。前記第１リンクプレートは、前記バネの一端を収容するために、一面の一端から長手方向に一定の長さで実質的に平行に設けられた複数の受入溝を備える。前記第２リンクプレートは、前記バネの他端を収容するために、一面の一端から長手方向に設けられた受入溝を備える。そして、前記第１リンクプレートと前記第２リンクプレートは、それぞれの一面が対面した状態でスライドし、それぞれの他側が長手方向に沿って接近すると前記バネが圧縮されるように拘束結合される。バネが圧縮される場合、バネは座屈する可能性があるが、受入溝は、前記バネが座屈することを防止する。
【００１５】
また、前記リンクアセンブリにおいて、前記第１リンクプレートには前記バネのそれぞれの一端に挿入された支持突起が設けられており、前記第２リンクプレートには前記バネのそれぞれの他端に挿入された支持突起が設けられていることが好ましい。そして、前記支持突起によって前記バネの一端および他端が拘束される。
【００１６】
また、前記リンクアセンブリは、前記バネの両端を拘束するために支持突起の代わりに支持溝が設けられてもよい。この場合、前記第１リンクプレートには前記バネの一端が挿入されるための支持溝が設けられており、前記第２リンクプレートには前記バネの他端が挿入されるための支持溝が設けられている。そして、前記支持溝によって前記バネの一端および他端が拘束される。
【００１７】
また、前記リンクアセンブリにおいて、前記第１リンクプレートおよび第２リンクプレートそれぞれは、長手方向に沿って幅方向の一側に案内溝が、他側には案内翼がそれぞれ設けられていることがさらに好ましい。前記案内翼と前記案内溝との結合によって第２リンクプレートが第１リンクプレートの長手方向に沿ってスライド可能に拘束結合されるように、前記第１リンクプレートの案内翼は第２リンクプレートの案内溝に挿入され、第２リンクプレートの案内翼は第１リンクプレートの案内溝に挿入される。
【００１８】
また、前記リンクアセンブリにおいて、前記第１リンクプレートおよび第２リンクプレートそれぞれは、前記案内溝に長手方向に沿って一定の長さの案内孔が設けられ、前記案内翼に案内突起が突設されていることがさらに好ましい。前記第１リンクプレートの案内突起は第２リンクプレートの案内孔に挿入され、前記第２リンクプレートの案内突起は第１リンクプレートの案内孔に挿入される。
【００１９】
また、前記リンクアセンブリにおいて、前記第１および第２リンクプレートのそれぞれの他端部には貫通孔が穿設されていることがさらに好ましい。前記貫通孔によって、前記リンクアセンブリはスライディングタイプ携帯電話用スライダーアセンブリの固定プレートおよびスライディングプレートに結合できる。
【００２０】
本発明の別の観点によれば、固定プレート、スライディングプレートおよびリンクアセンブリを含む、スライディングタイプ携帯電話用スライダーアセンブリを提供する。固定プレートは、直線運動を案内するためのガイド部を備え、スライディングタイプ携帯電話本体の一面に固定される。スライディングプレートは、前記固定プレートのガイド部に案内されて直線運動を行えるように拘束され、携帯電話カバーの前記一面の対向面に固定される。リンクアセンブリは、伸縮可能であり、バネの伸縮と復元によって前記スライディングプレートが前記固定プレートに対して直線運動を行うように前記固定プレートと前記スライディングプレートに回動可能に連結される。前記スライディングプレートを前記固定プレートに対して直線運動させるために、前記リンクアセンブリは複数のバネ、第１リンクプレートおよび第２リンクプレートを含む。前記第１リンクプレートは、前記バネの一端を収容するために一面の一端から長手方向に一定の長さで実質的に平行に設けられた複数の受入溝、および前記固定プレートに回動可能に固定されるために他端に設けられた貫通孔を備える。前記第２リンクプレートは、前記バネの他端を収容するために一面の一端から長手方向に設けられた受入溝、および前記スライディングプレートに回動可能に固定されるために他端に設けられた貫通孔を備える。そして、前記第１リンクプレートと前記第２リンクプレートは、それぞれの一面が対面した状態でスライドし、それぞれの他側が長手方向に沿って接近すると前記バネが圧縮されるように拘束結合される。
【００２１】
また、前記スライディングタイプ携帯電話用スライダーアセンブリにおいて、前記第１リンクプレートには前記バネのそれぞれの一端に挿入された支持突起が設けられており、前記第２リンクプレートには前記バネのそれぞれの他端に挿入された支持突起が設けられていることが好ましい。そして、前記支持突起によって前記バネの一端および他端が拘束される。
【００２２】
また、前記スライディングタイプ携帯電話用スライダーアセンブリは、前記バネの両端を拘束するために支持突起の代わりに支持溝が設けられてもよい。この場合、前記第１リンクプレートには前記バネの一端が挿入されるための支持溝が設けられており、前記第２リンクプレートには前記バネの他端が挿入されるための支持溝が設けられている。そして、前記支持溝によって前記バネの一端および他端が拘束される。
【００２３】
また、前記スライディングタイプ携帯電話用スライダーアセンブリにおいて、前記第１リンクプレートおよび第２リンクプレートそれぞれは、長手方向に沿って幅方向の一側に案内溝が、他側には案内翼がそれぞれ設けられていることがさらに好ましい。前記案内翼と前記案内溝との結合によって前記第２リンクプレートが第１リンクプレートの長手方向に沿ってスライド可能に拘束結合されるように、前記第１リンクプレートの案内翼は第２リンクプレートの案内溝に挿入され、第２リンクプレートの案内翼は第１リンクプレートの案内溝に挿入される。
【００２４】
また、前記スライディングタイプ携帯電話用スライダーアセンブリにおいて、前記第１リンクプレートおよび第２リンクプレートそれぞれは、前記案内溝に長手方向に沿って一定の長さの案内孔が設けられ、前記案内翼には案内突起が突設されていることが好ましい。前記第１リンクプレートの案内突起は第２リンクプレートの案内孔に挿入され、前記第２リンクプレートの案内突起は第１リンクプレートの案内孔に挿入される。
【発明を実施するための最良の形態】
【００２５】
まず、本発明の一実施例に係るリンクアセンブリおよびこれを備えたスライディングタイプ携帯電話用スライダーアセンブリについて詳細に説明する。
【００２６】
本実施例のリンクアセンブリは、引張バネを使用した。図１は本発明に係る伸縮可能なリンクアセンブリの一実施例を示す斜視図、図２は図１の分解斜視図、図３は図２のＡ−Ａ線に沿った断面図である。
【００２７】
図１に示したリンクアセンブリは、引張バネを用いたリンクアセンブリの一実施例である。本実施例のリンクアセンブリ８００は、同一の形状を有し且つそれぞれの一面が対面してお互いスライド可能に拘束された一対のリンクプレート８１０と、それぞれのリンクプレート８１０に両端が固定された複数のバネ８４０とから構成される。説明の便宜上、一対のリンクプレート８１０のうちいずれか一方を第１リンクプレート８１０とし、他方を第２リンクプレート８１０とする。
【００２８】
複数のバネ８４０は、それぞれの両端には直径が中心部８４０ａの外径より減少した係止部８４０ｂが設けられている。バネ８４０の一端の係止部８４０ｂは、後述する第１リンクプレート８１０のバネ固定溝８２４に挿入されて固定され、バネの他端の係止部８４０ｂは第２リンクプレート８１０のバネ固定溝８２４に挿入されて固定される。本発明の実施例では、バネ固定溝に挿設される係止部の外径が中心部の外径より減少するようにしているが、逆に係止部の外径が中心部の外径より増加するようにしてもよい。
【００２９】
それぞれのリンクプレート８１０は、板状をしており、細長いリンク部８３０、およびバネ固定部８２０から構成される。
【００３０】
リンク部８３０は、一端に固定ピンＨが挿入されるための貫通孔８３２が設けられている。貫通孔８３２に固定ピンＨが挿入される場合、リンク部８３０は、固定ピンＨを中心に回動することができる。貫通孔８３２は、固定ピンＨとの締結および分離を容易にするために一側が開放されており、開放された一側の内側面には、リンクアセンブリ８００がスライドされるときにプレートの固定ピンＨから分離されることを防止するための係止突部８３３が設けられている。また、リンク部８３０は、他面の両側面に長手方向に離脱防止溝８３１が設けられている。
【００３１】
バネ固定部８２０は、リンク部８３０の他端から幅方向に延長されてリンク部８３０と一体に設けられている。また、もう一方のリンクプレート８１０におけるバネ固定部８２０の対向面と向かい合うバネ固定部８２０の一面には、バネ８４０の係止部８４０ｂが挿入されて固定されるための複数のバネ固定溝８２４が一定の間隔で設けられている。バネ固定溝８２４は、バネ８４０の係止部８４０ｂを挿入して固定させるために、バネ８４０の一端を収容する収容部８２４ｃと、係止部８４０ｂが係止されて離脱しないように固定させる固定部８２４ｂと、バネ８４０の中心部８４０ａを向かうように延長された案内部８２４ａとから構成される。よって、バネ８４０の両端の係止部８４０ｂを、これに対応するそれぞれのバネ固定部８２０のバネ固定溝８２４に容易に固定させることができ、バネ固定溝８２４に設けられた固定部８２４ｂがバネ８４０の係止部８４０ｂを固定させるため、バネ８４０が分離されることを防止することができる。
【００３２】
また、第１リンクプレート８１０のバネ固定部８２０の一面の中央には、第２リンクプレート８１０のリンク部８３０が長手方向に沿ってスライドされるための案内溝８２１が設けられている。第２リンクプレート８１０のリンク部８３０が第１リンクプレート８１０の案内溝８２１でスライドするとき、第２リンクプレート８１０と第１リンクプレート８１０が分離されることが防止するために、第１リンクプレート８１０の案内溝８２１の両側面には第２リンクプレート８１０の離脱防止溝８３１に結合するガイドジョー８２３が設けられている。第１リンクプレート８１０および第２リンクプレート８１０は、同一の形状を有するので、第１リンクプレート８１０に対応する第２リンクプレート８１０のバネ固定部８２０にもガイドジョー８２３が設けられている。
【００３３】
次に、本発明の一実施例に係るリンクアセンブリ８００の作動状態について簡単に説明する。一対のリンクプレート８１０のスライドされる最大長さは、複数のバネ８４０の引張力によって定められる。使用者がスライディングプレート７２０をスライドすると、リンクアセンブリ８００の複数のバネ８４０が伸びながら、固定ピンＨに固定されたそれぞれのリンクプレート８１０は固定ピンＨを中心に回転する。これと同時に、一対のリンクプレート８１０は長さが減少する方向にスライドしながら、スライディングプレート７２０のスライディングによる２つのリンクプレート８１０の全体の長さ変化が吸収される。この際、バネ８４０の引張力は最大になり、一対のリンクプレート８１０の延長長さは最小になる。
【００３４】
前述したようにバネ８４０は長さが長くなり、スライディングプレート７２０を動かすために使用者が力を加え続けると、バネ８４０に蓄積された弾性エネルギーによって、スライディングプレート７２０は押圧しようとする方向に自動的に移動する。すなわち、複数のバネ８４０が収縮しながら、それぞれの両端に回動可能に設置されたリンクプレート８１０をそれぞれ引っ張り、これにより、スライディングプレート７２０に固定されたリンクプレート８１０がスライディングプレート７２０を押圧する。
【００３５】
前述したように、それぞれのリンクプレート８１０の対応するバネ固定溝８２４に対して着脱が容易であって組立が便利であるように、バネ８４０の両端の係止部８４０ｂを挿入する。したがって、従来のバネ係止部に係止するためにバネの両端にリングを形成することにより、従来のリンクアセンブリは全体的にスリムに製作することができなかったが、本発明のリンクアセンブリは、バネ８４０の両端部に係止部８４０ｂを形成してバネ固定溝８２４に挿入することができるため、バネの外径を減少させてスリムに製作することができる。
【００３６】
一方、それぞれのリンクプレート８１０を動摩擦係数の小さいプラスチックで射出成形によって製造すると、それぞれのリンクプレート８１０のスライディングが円滑になり、大量生産が可能であって全体的な製造コストが節減できる。
【００３７】
図４は本発明に係るリンクアセンブリを備えたスライディングタイプ携帯電話用スライダーアセンブリの一実施例を示す分解斜視図である。
【００３８】
本実施例のスライダーアセンブリ７００は、固定プレート７１０、スライディングプレート７２０、およびリンクアセンブリ８００を含む。固定プレート７１０は、直線運動を案内するためのガイド部を備え、スライディングタイプ携帯電話の本体の一面に固定される。スライディングプレート７２０は、固定プレート７１０のガイド部に案内されて直線運動を行えるように拘束され、携帯電話本体の一面に対向する携帯電話カバーの一面に固定される。リンクアセンブリ８００は、一端が固定プレート７１０に回動可能に支持され、他端がスライディングプレート７２０に回動可能に支持されることにより、スライディングプレート７２０の一定のスライディング位置を基準として、スライディングプレート７２０を加圧する加圧力の方向が転換される。また、固定プレート７１０とスライディングプレート７２０のスライドする両側面は、互いに摩擦することによって磨耗することを防止するために、固定プレート７１０の固定溝７１２、７１２’に一対の案内ブッシュ７１４、７１４’が挿設される。
【００３９】
固定プレート７１０の長手方向のガイド部７１３、７１３’は、プレスによって向かい合うように２段に折り曲げられた平行な一対の固定溝７１２、７１２’、携帯電話の本体に固定させるための複数のネジ孔、およびリンクアセンブリ８００の一端と共に回転可能に固定ピンＨが設置されるヒンジ孔７１１が設けられる。また、一対の案内ブッシュ７１４、７１４’は固定溝７１２、７１２’の折り曲げられた側面に挿設される。案内ブッシュ７１４、７１４’は、固定溝７１２、７１２’の外側に配置されるように両端に緩衝突起７１４ｂ、７１４ｂ’を有し、スライディングプレート７２０の両端が挿入されてスライドされることを案内するための案内溝７１４ａ、７１４ａ’を有する。案内ブッシュ７１４、７１４’は、反復的にスライド作動するスライディングプレート７２０の翼部７２３、７２３’との作動摩擦によって磨耗されることを防止するもので、頻繁な取り替えなしで長時間使用することが可能な動摩擦係数の小さい耐摩耗性のものであればいずれでも使用可能である。また、緩衝突起７１４ｂ、７１４ｂ’は、スライド作動の際に発生する衝撃を吸収することにより、案内ブッシュ７１４、７１４’に衝撃が伝達されて破損することを防止するものであって、固定プレート７１０の両端よりさらに突出するように設置されることが良い。
【００４０】
スライディングプレート７２０は、携帯電話カバーに固定させるための複数のネジ孔と、リンクアセンブリ８００の他端と共に回転できるように固定ピンＨが設置されるヒンジ孔７２１と、長手方向の両側で固定プレート７１０の方向にプレスによって折り曲げられた折曲部７２２、７２２’と、外側に延長されるようにもう１回折り曲げられた翼部７２３、７２３’とを備える。一対の翼部７２３、７２３’は、長手方向に対して上下方向にスライド可能に固定プレート７１０の固定溝７１２、７１２’にそれぞれ設置された案内ブッシュ７１４、７１４’に挿入される。
【００４１】
前述したように、固定プレート７１０とスライディングプレート７２０のそれぞれの固定ピンＨに回転可能に固定されるそれぞれのリンク部８３０の貫通孔８３２は、一側が開放されているので、固定ピンＨとの着脱が容易であり、貫通孔８３２の開放された一側の内面に係止突部８３３が設けられているので、スライディング作動の際に分離されることを防止する。
【００４２】
図５（ａ）〜（ｃ）は、図４に示した実施例のスライダーアセンブリの作動状態を示す説明図であって、本実施例のスライダーアセンブリの作動について説明する。
【００４３】
図５（ａ）に示した状態は、バネの引張力によって、それぞれの拘束されたリンクプレートの長さが最大となるようにスライドされた状態である。使用者がスライディングプレート７２０を左に押圧すると、図５（ｂ）に示したようにスライディングプレート７２０がスライドし、リンクアセンブリ８００のバネ８４０が伸びながら、ヒンジ固定されたそれぞれのリンクプレート８１０が回動する。これと同時に、拘束されてスライド可能に結合した一対のリンクプレート８１０がスライドしながら、リンク部８３０に設けられた離脱防止溝８３１がそれぞれのバネ固定部８２０の案内溝８２１に沿って重なり合う部分が多くなって、２つのリンクプレートの合計の長さが減少する。この際、案内溝８２１のガイドジョー８２３がそれぞれのリンクプレート８１０の離脱防止溝８３１に沿ってスライドするように案内し、２つのリンクプレート８１０が互いに分離されないように拘束させる。図５（ｂ）に示した状態で、バネ８４０の引張力は最大になり、一対のリンクプレート８１０の延長長さは最小になる。図５（ｂ）の状態までバネ８４０の長さが長くなるので、スライディングプレート７２０を動かすために使用者は力を加えなければならない。ところが、図５（ｂ）の状態から少しだけ左に移動すると、前記バネ８４０に蓄積された弾性エネルギーによって、スライディングプレート７２０は左に自動的に移動する。すなわち、複数のバネ８４０が収縮しながら、それぞれの両端に固定されたリンクプレート８１０を引っ張り、これにより、スライディングプレート７２０に固定されたリンクプレート８１０がスライディングプレート７２０を加圧し、図５（ｃ）に示した状態に移動させる。図５（ｃ）の状態から図５（ａ）の状態へのスライディングは、前述した過程と同一の過程を繰り返すことにより行われる。
【００４４】
前述したように複数のバネ８４０と一対のリンクプレート８１０との結合構造を改善したリンクアセンブリ８００は、固定プレート７１０とスライディングプレート７２０がスライディング作動するとき、それぞれのプレートの内側に設置された可撓性基板（ＦＰＣＢ）と干渉が発生しないので、アップ／ダウンの際に円滑に作動する。
【００４５】
次に、本発明の他の実施例に係るリンクアセンブリおよびこれを用いたスライディングタイプ携帯電話用スライダーアセンブリについて詳細に説明する。本実施例のリンクアセンブリは圧縮バネを使用した。
【００４６】
図６は本発明の他の実施例に係る伸縮可能なリンクアセンブリの斜視図、図７は図６の分解斜視図、図８は図６のＡ−Ａ線に沿った断面図である。
【００４７】
図６に示したリンクアセンブリ１００は、第１リンクプレート３０、第２リンクプレート５０、および複数のバネ７０を含む。
【００４８】
第１リンクプレート３０は、複数の第１受入溝３５、３７、３９を備える。また、第１リンクプレート３０には第１貫通孔４９、第１支持突起３２、３３、３４、第１案内翼４０、第１案内溝４４、第１案内孔４３、および第１案内突起４１が設けられている。
【００４９】
また、第２リンクプレート５０は、複数の第２受入溝５５、５７、５９を備える。また、第２リンクプレート５０には第２貫通孔６９、第２支持突起５２、５３、５４、第２案内翼６０、第２案内溝６４、第２案内孔６３、および第２案内突起６１が設けられている。
【００５０】
第１リンクプレート３０と第２リンクプレート５０は長手方向に一定の長さだけスライドできるように拘束結合し、バネ７０は第１および第２リンクプレート３０、５０の対向する面の間に挿設される。また、本実施例において、第１リンクプレート３０と第２リンクプレート５０は、同一の形状を有し、軸対称によって互いに結合する。よって、第１リンクプレート３０の構造についてのみ説明し、第２リンクプレート５０の構造についての説明は第１リンクプレート３０の構造の説明によって代替する。
【００５１】
次に、第１リンクプレート３０の構造について説明する。第１受入溝３５、３７、３９はバネ７０を収容し、バネ７０の圧縮時の座屈を防止する。このために、複数の第１受入溝３５、３７、３９は、第２リンクプレート５０に対向する第１リンクプレート３０の一面に設けられている。また、第１受入溝３５、３７、３９は、バネ７０が自由に伸縮し、バネ７０の圧縮時の座屈が防止できるほどバネ７０の直径より大きくなければならない。また、前記第１受入溝３５、３７、３９は、第１リンクプレート３０の一端から長手方向に一定の長さで平行に設けられている。よって、第１受入溝３５、３７、３９の一端は開放され、他端は閉鎖されている。それぞれのバネ７０がそれぞれの第１受入溝３５、３７、３９に設置されると、バネ７０の一端は第１受入溝３５、３７、３９に収容され、バネ７０の他端は第１受入溝３５、３７、３９から突出する。前述したように第１リンクプレート３０と第２リンクプレート５０は軸対称によって結合するので、バネ７０の他端は第２リンクプレート５０の第２受入溝５５、５７、５９に収容される。
【００５２】
第１貫通孔４９は、第１リンクプレート３０が固定ピンＨによって固定プレート２３またはスライディングプレート２１に回転可能に結合するように、第１リンクプレート３０の他端に設けられている。
【００５３】
第１支持突起３２、３３、３４は、バネ７０の一端が挿入されるように、第１受入溝３５、３７、３９の他端から突出している。よって、バネ７０の一端は第１支持突起３２、３３、３４によって拘束される。
【００５４】
第１案内翼４０は、第１リンクプレート３０の幅方向の一側に長手方向に沿って設けられている。
【００５５】
第１案内溝４４は、第２リンクプレート５０の第２案内翼６０が挿入されるように、第１リンクプレート３０の幅方向の他側に長手方向に沿って設けられている。よって、第１案内翼４０は第２案内溝６４に挿入され、第２案内翼６０は第１案内溝４４に挿入される。第１リンクプレート３０と第２リンクプレート５０は、前記案内翼４０、６０と案内溝４４、６４との相互結合によって長手方向にスライド可能であり、軸方向への相対的な移動が拘束される。
【００５６】
第１案内孔４３は、第１リンクプレート３０の長手方向に沿って一定の長さで第１案内翼４０に設けられている。
【００５７】
第１案内突起４１は、第２案内孔６３に挿入されるように第１案内翼４０から突出している。よって、第１案内突起４１は第２案内孔６３に挿入され、第２案内突起６１は第１案内孔４３に挿入される。第１リンクプレート３０は、第２リンクプレート５０に対して長手方向に沿ってスライドされる。この場合、前記案内突起４１、６１が前記案内孔４３、６３に挿入されるので、第１リンクプレート３０は案内孔４３、６３の長さだけスライドできる。
【００５８】
バネ７０は、第１リンクプレート３０の第１受入溝３５、３７、３９と第２リンクプレート５０の第２受入溝５５、５７、５９に収容される。バネ７０の一端には第１支持突起３２、３３、３４が挿入され、バネ７０の他端には第２支持突起５２、５３、５４が挿入される。よって、第１リンクプレート３０および第２リンクプレート５０がスライドしてバネ７０が収縮しても、バネ７０は前記支持突起に拘束されて第１および第２リンクプレート３０、５０から離脱しない。
【００５９】
本実施例では、バネ７０の離脱を防止するために、第１支持突起３２、３３、３４および第２支持突起５２、５３、５４を使用したが、多様な実施例が存在し得る。図１１はバネの離脱を防止するための他の実施例である。図１１に示した実施例において、第１リンクプレート１３０および第２リンクプレート１６０には、支持突起の代わりに第１支持溝１３２および第２支持溝１３４が設けられている。前記第１支持溝１３２にはバネ１７１の一端が挿入され、第２支持溝１３４にはバネ１７１の他端が挿入される。バネ１７１の一端および他端が前記支持溝１３２、１３４に挿入されるので、離脱が防止される。
【００６０】
図９は図６のリンクアセンブリを備えた携帯電話用スライダーアセンブリの分解斜視図である。
【００６１】
本実施例のスライダーアセンブリは、スライディングタイプ携帯電話の本体の一面に固定され且つ貫通孔２４が設けられた固定プレート２３と、固定プレート２３の内周面に沿って直線運動を行えるように拘束され、携帯電話カバーにおける携帯電話本体の一面の対向面に固定され、所定の位置に貫通孔２２が設けられたスライディングプレート２１とを含む。この際、リンクアセンブリ１００は、第１リンクプレート３０の第１リンクヒンジ部３１に設けられた第１貫通孔４９に固定ピンＨを挿入した後、スライディングプレート２１の貫通孔２２に挿入して、設置する。このように設置された第１リンクプレート３０は、固定ピンＨを基準としてスライディング作動の際に回転可能である。また、第２リンクプレート５０の第２貫通孔６９に挿入される固定ピンＨは固定プレート２３の貫通孔２４に挿設される。これにより、第２リンクプレート５０は、固定ピンＨを基準としてスライディング作動の際に回転可能である。
【００６２】
次に、本発明に係るリンクアセンブリ１００の作動状態について簡単に説明する。複数のバネ７０の圧縮力によって、それぞれの拘束された第１および第２リンクプレート３０、５０の長さが最小となるようにスライド拘束される。使用者がスライディングプレート２１をスライドすると、リンクアセンブリ１００の複数のバネ７０が圧縮されながら、固定ピンＨに固定された第１および第２リンクプレート３０、５０が回動する。これと同時に、拘束されてスライドするように結合した第１および第２リンクプレート３０、５０の長さが減少する方向にスライドしながら、スライディングプレート２１のスライディングによるそれぞれのリンクプレート３０、５０の長さ変化を吸収する。この際、複数のバネ７０の圧縮力は最大になり、第１および第２リンクプレート３０、５０の延長長さは最小になる。
【００６３】
前述したように、バネ７０は長さが短くなり、スライディングプレート２０を動かすために使用者が力を加え続けると、バネ７０に蓄積された弾性エネルギーによって、スライディングプレート２０は押圧しようとする方向に自動的に移動する。
【００６４】
図１０は図９に示したスライダーアセンブリの作動状態を示す説明図であって、本実施例のスライダーアセンブリの作動について説明する。
【００６５】
図１０（ａ）に示した状態は、圧縮バネの圧縮力によって、それぞれの拘束されたリンクプレートの長さが最大となるようにスライドされた状態である。使用者がスライディングプレート２１を左に押圧すると、図１０（ｂ）に示したようにスライディングプレート２１がスライドし、リンクアセンブリ１００の複数のバネ７０が縮みながら、ヒンジ固定されたそれぞれのリンクプレート３０、５０が回動する。これと同時に、拘束されてスライドするように結合した一対のリンクプレート３０、５０がスライドしながら、それぞれ対応する案内翼および案内溝が重なり合って、長さが減少する。この際、それぞれ対応する案内翼と案内溝によって一対のリンクプレートがスライドし、案内突起と案内孔によってそれぞれのリンクプレート３０、５０が分離されないように拘束させる。図１０（ｂ）に示した状態で、バネ８７０の圧縮力は最大になり、一対のリンクプレート３０、５０の延長長さは最小になる。図１０（ｂ）の状態まで複数のバネ７０は圧縮されて長さが短くなるので、スライディングプレート２１を動かすために使用者は力を加えなければならない。ところが、図１０（ｂ）の状態から少しだけ左に移動すると、前記複数のバネ７０に蓄積された弾性エネルギーによって、スライディングプレート２１は左に自動的に移動する。すなわち、複数のバネ７０が膨張しながら、それぞれの両端に固定されたリンクプレート３０、５０を引っ張り、これにより、スライディングプレート２１に固定された第１リンクプレート３０がスライディングプレート２１を加圧して図１０（ｃ）の状態に移動させる。図１０（ｃ）の状態から図１０（ａ）の状態へのスライディングは、前述した過程と同一の過程を繰り返すことにより行われる。
【産業上の利用可能性】
【００６６】
本発明は、引張バネの両端がリンクプレートの固定溝に固定されるリンクアセンブリを提供する。よって、可撓性基板を損傷させるおそれもなく、厚さの薄いリンクアセンブリを簡単に組み立てることができる。
【００６７】
また、本発明は、圧縮バネが収容される受入溝を備えたリンクアセンブリを提供し、厚さの薄い圧縮バネを用いたリンクアセンブリを簡単に組み立てることができる。
【００６８】
また、本発明によれば、摩擦力の小さいプラスチックで製造する場合、量産に適し、リンクプレート間の摩擦力が少なくて柔らかいスライディングを実現することができる。
【００６９】
また、本発明は、前記リンクアセンブリを備えたスライディングタイプ携帯電話を提供し、携帯電話をスリム化することができる。
【００７０】
前記で説明され且つ図面に示された本発明の一実施例は、本発明の技術的思想を限定するものと解釈されてはならない。本発明の保護範囲は請求の範囲に記載された事項によってのみ制限される。ところが、本発明の技術分野における通常の知識を有する者であれば、本発明の思想および精神から逸脱することなく、多様な改良および変更を加えることが可能である。よって、このような改良および変更は、通常の知識を有する者に自明なことである限りは、本発明の保護範囲に属するであろう。
【図面の簡単な説明】
【００７１】
【図１】図１は本発明に係る伸縮可能なリンクアセンブリの一実施例を示す斜視図である。
【図２】図２は図１の分解斜視図である。
【図３】図３は図２のＡ−Ａ線に沿った断面図である。
【図４】図４は図１のリンクアセンブリを備えた携帯電話用スライダーアセンブリの一実施例を示す分解斜視図である。
【図５】図５は図４に示した実施例のスライダーアセンブリの作動状態を示す説明図である。
【図６】図６は本発明に係る伸縮可能なリンクアセンブリの他の実施例を示す斜視図である。
【図７】図７は図６の分解斜視図である。
【図８】図８は図６のＡ−Ａ線に沿った断面図である。
【図９】図９は図６のリンクアセンブリを備えた携帯電話用スライダーアセンブリの一実施例を示す分解斜視図である。
【図１０】図１０は図９に示したスライダーアセンブリの作動状態を示す説明図である。
【図１１】図１１は他のバネ拘束手段を使用した、図６に示したリンクアセンブリの断面図である。
【図１２】図１２は従来の伸縮可能なリンクアセンブリの斜視図である。
【符号の説明】
【００７２】
７００：スライダーアセンブリ
７１０：固定プレート
７１１：ヒンジ孔
７１２、７１２’：固定溝
７１３、７１３’：ガイド部
７１４、７１４’：案内ブッシュ
７２０：スライディングプレート
７２１：ヒンジ孔
７２２、７２２’：折曲部
７２３、７２３’：翼部
Ｈ：固定ピン
８００：リンクアセンブリ
８１０：リンクプレート
８２０：バネ固定部
８２１：案内溝
８２３：ガイドジョー
８２４：バネ固定溝
８３０：リンク部
８３１：離脱防止溝
８３２：貫通孔
８３３：係止突部
８４０：バネ
【図１】
2009510354.tif 000003
【図２】
2009510354.tif 000004
【図３】
2009510354.tif 000005
【図４】
2009510354.tif 000006
【図５】
2009510354.tif 000007
【図６】
2009510354.tif 000008
【図７】
2009510354.tif 000009
【図８】
2009510354.tif 000010
【図９】
2009510354.tif 000011
【図１０】
2009510354.tif 000012
【図１１】
2009510354.tif 000013
【図１２】
2009510354.tif 000014
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
両端部に外径の減少した係止部が設けられたバネと、
一側が幅方向に延長されており、前記バネの一端の係止部が挿入されて固定されるためのバネ固定溝が設けられた第１リンクプレートと、一側が幅方向に延長されており、前記バネの他端の係止部が挿入されて固定されるためのバネ固定溝が設けられた第２リンクプレートとを含み、
前記第１リンクプレートと前記第２リンクプレートは、それぞれの一面が対面した状態でスライドし、それぞれの他側が長手方向に沿って接近すると前記バネが引っ張られるように拘束結合されていることを特徴とする、伸縮可能なリンクアセンブリ。
【請求項２】
前記第１リンクプレートは、前記一側の一面に、前記第２リンクプレートの他側が長手方向に沿って挿入されるための案内溝が設けられており、
前記第２リンクプレートは、前記一側の一面に、前記第１リンクプレートの他側が長手方向に沿って挿入されるための案内溝が設けられており、
前記第１リンクプレートおよび前記第２リンクプレートの前記案内溝によって、前記第１リンクプレートおよび前記第２リンクプレートは長手方向に沿ってスライドされることを特徴とする、請求項１に記載の伸縮可能なリンクアセンブリ。
【請求項３】
前記第１リンクプレートは、他側の他面には長手方向に沿って幅方向の両側に離脱防止溝が設けられ、一側の一面には離脱防止突起が設けられており、
前記第２リンクプレートは、一側の一面には前記第１リンクプレートの離脱防止溝に結合するための離脱防止突起が設けられ、他側の他面には長さ方向に沿って幅方向の両側に前記第１リンクプレートの離脱防止突起に結合するための離脱防止溝が設けられていることを特徴とする、請求項２に記載の伸縮可能なリンクアセンブリ。
【請求項４】
前記第１リンクプレートは、前記バネが圧縮されないように前記第２リンクプレートに対するスライディングを限定するためのスライディング限定部材をさらに含むことを特徴とする、請求項３に記載の伸縮可能なリンクアセンブリ。
【請求項５】
前記スライディング限定部材は、前記第２リンクプレートの離脱防止溝と結合してスライディングを限定することを特徴とする、請求項４に記載の伸縮可能なリンクアセンブリ。
【請求項６】
前記第１および第２リンクプレートのそれぞれの他側には貫通孔が設けられていることを特徴とする、請求項５に記載の伸縮可能なリンクアセンブリ。
【請求項７】
前記貫通孔は、一側が開放されており、当該一側に係止突部が設けられていることを特徴とする、請求項６に記載の伸縮可能なリンクアセンブリ。
【請求項８】
直線運動を案内するためのガイド部を備え、スライディングタイプ携帯電話本体の一面に固定される固定プレートと、前記固定プレートのガイド部に案内されて直線運動を行えるように拘束され、携帯電話カバーの前記一面の対向面に固定されるためのスライディングプレートと、バネの伸縮と復元によって前記スライディングプレートが前記固定プレートに対して直線運動を行うように、前記固定プレートと前記スライディングプレートに回動可能に連結される伸縮可能なリンクアセンブリとを含んだスライディングタイプ携帯電話用スライダーアセンブリにおいて、
前記伸縮可能なリンクアセンブリは、
両端部に外径の減少した係止部が設けられたバネと、
一側が幅方向に延長されており、前記バネの一端の係止部が挿入されて固定されるためのバネ固定溝、および他側が前記固定プレートに回動可能に固定されるための貫通孔が設けられた第１リンクプレートと、
一側が幅方向に延長されており、前記バネの他端の係止部が挿入されて固定されるためのバネ固定溝、および他側が前記スライディングプレートに回動可能に固定されるための貫通孔が設けられた第２リンクプレートとを含み、  
前記第１リンクプレートと前記第２リンクプレートは、それぞれの一面が対面した状態でスライドし、それぞれの他側が長手方向に沿って接近すると前記バネが引っ張られるように拘束結合されていることを特徴とする、スライディングタイプ携帯電話用スライダーアセンブリ。
【請求項９】
前記第１リンクプレートは、前記一側の一面に、前記第２リンクプレートの他側が長手方向に沿って挿入されるための案内溝が設けられており、
前記第２リンクプレートは、前記一側の一面に、前記第１リンクプレートの他側が長手方向に沿って挿入されるための案内溝が設けられており、
前記第１リンクプレートおよび第２リンクプレートの前記案内溝によって、前記第１リンクプレートおよび第２リンクプレートは長手方向にスライドされることを特徴とする、請求項８に記載のスライディングタイプ携帯電話用スライダーアセンブリ。
【請求項１０】
前記第１リンクプレートは、他側の他面には長手方向に沿って幅方向の両側に離脱防止溝が設けられ、一側の一面には離脱防止突起が設けられており、
前記第２リンクプレートは、一側の一面には前記第１リンクプレートの離脱防止溝に結合するための離脱防止突起が設けられ、他側の他面には長手方向に沿って幅方向の両側に前記第１リンクプレートの離脱防止突起に結合するための離脱防止溝が設けられていることを特徴とする、請求項９に記載のスライディングタイプ携帯電話用スライダーアセンブリ。
【請求項１１】
前記第１リンクプレートは、前記バネが圧縮されないように前記第２リンクプレートに対するスライディングを限定するためのスライディング限定部材をさらに含むことを特徴とする、請求項１０に記載のスライディングタイプ携帯電話用スライダーアセンブリ。
【請求項１２】
前記貫通孔は、一側が開放されており、当該一側に係止突部が設けられていることを特徴とする、請求項１１に記載のスライディングタイプ携帯電話用スライダーアセンブリ。
【請求項１３】
複数のバネと、
前記バネの一端を収容するために、一面の一端から長手方向に一定の長さで実質的に平行に設けられた複数の受入溝を備えた第１リンクプレートと、
前記バネの他端を収容するために、一面の一端から長手方向に設けられた受入溝を備えた第２リンクプレートとを含み、
前記第１リンクプレートと前記第２リンクプレートは、それぞれの一面が対面した状態でスライドし、それぞれの他端が長手方向に沿って接近すると前記バネが圧縮されるように拘束結合されていることを特徴とする、伸縮可能なリンクアセンブリ。
【請求項１４】
前記第１リンクプレートには前記バネのそれぞれの一端に挿入された支持突起が設けられており、
前記第２リンクプレートには前記バネのそれぞれの他端に挿入された支持突起が設けられており、
前記支持突起によって前記バネの一端および他端が拘束されたことを特徴とする、請求項１３に記載の伸縮可能なリンクアセンブリ。
【請求項１５】
前記第１リンクプレートには前記バネの一端が挿入されるための支持溝が設けられており、
前記第２リンクプレートには前記バネの他端が挿入されるための支持溝が設けられており、
前記支持溝によって前記バネの一端および他端が拘束されたことを特徴とする、請求項１３に記載の伸縮可能なリンクアセンブリ。
【請求項１６】
前記第１リンクプレートは、長手方向に沿って幅方向の一側に案内溝が、他側には案内翼が設けられており、前記第２リンクプレートは、長手方向に沿って幅方向の一側に前記第１リンクプレートの案内溝に挿入されるための案内翼が、他側には前記第１リンクプレートの案内翼が挿入されるための案内溝が設けられており、
前記案内翼と前記案内溝との結合によって、前記第２リンクプレートが前記第１リンクプレートの長手方向に沿ってスライド可能に拘束結合されていることを特徴とする、請求項１４または１５に記載の伸縮可能なリンクアセンブリ。
【請求項１７】
前記第１リンクプレートは、前記案内溝に長手方向に沿って一定の長さの案内孔が設けられ、前記案内翼には案内突起が突設されており、
前記第２リンクプレートは、前記案内溝には第１リンクプレートの案内突起が挿入されるために長手方向に沿って一定の長さの案内孔が設けられ、前記案内翼には前記第１リンクプレートの案内孔に挿入されるために突出した案内突起が設けられていることを特徴とする、請求項１６に記載の伸縮可能なリンクアセンブリ。
【請求項１８】
前記第１および第２リンクプレートのそれぞれの他端部には貫通孔が設けられたことを特徴とする、請求項１７に記載の伸縮可能なリンクアセンブリ。
【請求項１９】
前記貫通孔は、一側が開放されており、当該一側に係止突部が設けられていることを特徴とする、請求項１８に記載の伸縮可能なリンクアセンブリ。
【請求項２０】
直線運動を案内するためのガイド部を備え、スライディングタイプ携帯電話本体の一面に固定される固定プレートと、前記固定プレートのガイド部に案内されて直線運動を行えるように拘束され、携帯電話カバーの前記一面の対向面に固定されるためのスライディングプレートと、バネの伸縮と復元によって前記スライディングプレートが前記固定プレートに対して直線運動を行うように、前記固定プレートと前記スライディングプレートに回動可能に連結される伸縮可能なリンクアセンブリとを含むスライディングタイプ携帯電話用スライダーアセンブリにおいて、
前記伸縮可能なリンクアセンブリは、
複数のバネと、
前記バネの一端を収容するために一面の一端から長手方向に一定の長さで実質的に平行に設けられた複数の受入溝、および前記固定プレートに回動可能に固定されるために他端に設けられた貫通孔を備えた第１リンクプレートと、前記バネの他端を収容するために一面の一端から長手方向に設けられた受入溝、および前記スライディングプレートに回動可能に固定されるために他端に設けられた貫通孔を備えた第２リンクプレートと、
前記第１リンクプレートと前記第２リンクプレートは、それぞれの一面が対面した状態でスライドし、それぞれの他端が長手方向に沿って接近すると前記バネが圧縮されるように拘束結合されていることを特徴とする、スライディングタイプ携帯電話用スライダーアセンブリ。
【請求項２１】
前記第１リンクプレートには前記バネのそれぞれの一端に挿入された支持突起が設けられており、
前記第２リンクプレートには前記バネのそれぞれの他端に挿入された支持突起が設けられており、
前記支持突起によって前記バネの一端および他端が拘束されたことを特徴とする、請求項２０に記載のスライディングタイプ携帯電話用スライダーアセンブリ。
【請求項２２】
前記第１リンクプレートには前記バネの一端が挿入されるための支持溝が設けられており、
前記第２リンクプレートには前記バネの他端が挿入されるための支持溝が設けられており、
前記支持溝によって前記バネの一端および他端が拘束されたことを特徴とする、請求項２０に記載のスライディングタイプ携帯電話用スライダーアセンブリ。
【請求項２３】
前記第１リンクプレートは、長手方向に沿って幅方向の一側に案内溝が、他側には案内翼がそれぞれ設けられており、
前記第２リンクプレートは、長手方向に沿って幅方向の一側には前記第１リンクプレートの案内溝に挿入されるための案内翼が、他側には前記第１リンクプレートの案内翼が挿入されるための案内溝がそれぞれ設けられており、
前記案内翼と前記案内溝との結合によって、前記第２リンクプレートが前記第１リンクプレートの長手方向に沿ってスライド可能に拘束結合されていることを特徴とする、請求項２１または２２に記載のスライディングタイプ携帯電話用スライダーアセンブリ。
【請求項２４】
前記第１リンクプレートは、前記案内溝に長手方向に沿って一定の長さの案内孔が設けられ、前記案内翼には案内突起が突設されており、
前記第２リンクプレートは、前記案内溝には前記第１リンクプレートの案内突起が挿入されるために長手方向に沿って一定の長さの案内孔が設けられ、前記案内翼には前記第１リンクプレートの案内孔に挿入されるために突出した案内突起が設けられていることを特徴とする、請求項２３に記載のスライディングタイプ携帯電話用スライダーアセンブリ。
【請求項２５】
前記貫通孔は、一側が開放されており、当該一側に係止突部が設けられていることを特徴とする、請求項２４に記載のスライディングタイプ携帯電話用スライダーアセンブリ。
【請求項２６】
直線運動を案内するためのガイド部を備え、スライディングタイプ携帯電話本体の一面に固定されるための固定プレートと、
前記固定プレートのガイド部に案内されて直線運動を行えるように拘束され、携帯電話カバーの前記一面の対向面に固定されるためのスライディングプレートと、
バネの伸縮と復元によって前記スライディングプレートが前記固定プレートに対して直線運動を行うように前記固定プレートと前記スライディングプレートに回動可能に連結された伸縮可能なリンクアセンブリを含んだスライディングタイプ携帯電話用スライダーアセンブリにおいて、
前記リンクアセンブリのバネは、両端部に外径の減少した係止部が設けられた係止部を備えた引張バネであることを特徴としたスライディングタイプ携帯電話用スライダーアセンブリ。
【請求項２７】
前記伸縮可能なリンクアセンブリは、
一側が幅方向に延長されており、前記バネの一端の係止部が挿入されて固定されるためのバネ固定溝と、他側が前記固定プレートに回動可能に固定されるために貫通孔を備えた第１リンクプレートと、
一側が幅方向に延長されており、前記バネの他端の係止部が挿入されて固定されるためのバネ固定溝と、他側が前記スライディングプレートに回動可能に固定されるための貫通孔を備えた第２リンクプレートをさらに含み、
前記第１リンクプレートと第２リンクプレートは長手方向にスライディングできるように拘束結合されていることを特徴とする、請求項２６に記載のスライディングタイプ携帯電話用スライダーアセンブリ。
【請求項２８】
前記伸縮可能なリンクアセンブリは、
前記第１リンクプレートおよび第２リンクプレートのスライディングを案内しながら、スライディングの長さを制限するための拘束手段をさらに含むことを特徴とする、請求項２７に記載のスライディングタイプ携帯電話用スライダーアセンブリ。
【請求項２９】
前記拘束手段は、第１リンクプレートおよび第２リンクプレートそれぞれは、対向する反対面に長手方向に沿って設けられた案内溝と、
前記案内溝の側面に形成された案内突起を含むことを特徴とする、請求項２８に記載のスライディングタイプ携帯電話用スライダーアセンブリ。
【国際調査報告】
2009510354.tif 000015
2009510354.tif 000016